【手続補正書】
【提出日】平成19年7月19日(2007.7.19)
【手続補正１】
【補正対象書類名】明細書
【補正対象項目名】特許請求の範囲
【補正方法】変更
【補正の内容】
【特許請求の範囲】
【請求項１】
機器と接続して用いられる半導体メモリカードであって、
接続した機器の正当性が認証されるか否かに拘らず、当該機器によりアクセスされるユーザデータ領域と、接続した機器の正当性が認証された場合のみ、当該機器によりアクセスされるプロテクト領域とを備え、
前記ユーザデータ領域には、複数のオブジェクトファイルが記録されており、
前記プロテクト領域には、複数のルール管理ファイルが記録されており、
オブジェクトファイルには、1つのコンテンツを格納したものと、1つのコンテンツを分割することにより得られた分割部分を格納したものとがあり、
前記ルール管理ファイルは、
それぞれがオブジェクトファイルと1対1の比率で対応する複数のルールエントリーを備え、各ルールエントリーには、対応するオブジェクトファイルと同じシリアル番号が付されており、
1つのコンテンツを格納したオブジェクトファイルに対応する1つのルールエントリーは、当該コンテンツについてのユーセージルール情報と、そのコンテンツを識別するコンテンツIDとを格納しており、
分割されたコンテンツを格納した2以上のオブジェクトファイルに対応する2以上のルールエントリーは、全てのものが当該コンテンツを識別するコンテンツIDを格納していて、そのうち先頭のものが、当該コンテンツについてのユーセージルール情報を格納しており、
ユーセージルール情報は、移動許可回数mと、チェックアウト許可回数nとを含み、
移動許可回数mは、「1」以上の値であれば他の機器へのコンテンツの移動がm回可能である旨を示し、「0」であれば他の機器へのコンテンツの移動は、不可能である旨を示す値であり、
チェックアウト許可回数nは、「1」以上の値であれば移動先機器によるコンテンツのチェックアウトがn回可能である旨を示し、「0」であれば移動先機器によるコンテンツのチェックアウトは、不可能である旨を示す値である
ことを特徴とする半導体メモリカード。
【請求項２】
前記ユーザデータ領域には、
複数オブジェクトファイルのそれぞれと1対1の比率で対応するトラック情報が記録されており、
前記トラック情報は、
対応するオブジェクトファイルにおける所定時間置きの複数の頭出しアドレスを示すタイムサーチテーブルを備え、
コンテンツの分割部分の時間長は、
タイムサーチテーブルにおける頭出しアドレスの数が所定個数以下になる時間長に定められている
ことを特徴とする請求項１記載の半導体メモリカード。
【請求項３】
前記トラック情報は、対応するオブジェクトファイルについての属性を示すトラック属性情報と、ブロック情報とを含み、
前記トラック属性情報により示される属性とは、
対応するオブジェクトファイル内がコンテンツ全体、コンテンツの先頭部分、コンテンツの中間部分、コンテンツの終端部分の何れであるかであり、
前記ブロック情報は、
対応するオブジェクトファイルの先頭部分を無効部分とする場合、有効部分までのオフセットを示す情報であり、
トラック属性情報及びブロック情報は、半導体メモリカードと接続した機器により書き換えられる
ことを特徴とする請求項１記載の半導体メモリカード。
【請求項４】
配信サーバにより配信された複数コンテンツを受信する第１受信装置であって、
複数コンテンツと、各コンテンツについての移動許可回数m及びチェックアウト許可回数nとをネットワークを介して配信サーバから受信して、保持する第１受信手段と、
複数コンテンツが格納された複数オブジェクトファイルをユーザデータ領域に書き込み、各コンテンツについての移動許可回数m及びチェックアウト許可回数nが格納されたルール管理ファイルをプロテクト領域に書き込む書込手段とを備え、
請求項１記載の半導体メモリカードを得ることを特徴とする第１受信装置。
【請求項５】
請求項４記載の第１受信装置により得られた半導体メモリカードと接続すると共に、ネットワークを介してコンテンツを受信する第２受信装置であって、
前記複数コンテンツと、各コンテンツについての移動許可回数m及びチェックアウト許可回数nとをネットワークを介して配信サーバから受信して、保持する第２受信手段と、
前記半導体メモリカードが接続された場合、半導体メモリカードから移動許可回数mを読み出し、読み出された移動許可回数mが、「1」以上である場合、前記半導体メモリカードから装置内部へと、複数オブジェクトファイル及びルール管理ファイルの移動を行い、複数コンテンツと、各コンテンツについての移動許可回数m及びチェックアウト許可回数nとを保持する移動手段と、
第２受信手段及び移動手段の何れか一方により複数コンテンツと、各コンテンツについての移動許可回数m及びチェックアウト許可回数nとが保持された場合、保持されている複数コンテンツ及びチェックアウト許可回数nに基づき、同コンテンツの複製物を生成して記録媒体に記録して、前記再生装置に供給するチェックアウト手段と
を備えることを特徴とする第２受信装置。
【請求項６】
配信サーバにより配信された複数コンテンツを受信する処理を第１のコンピュータに行わせるコンピュータ読み取り可能な記録媒体であって、
複数コンテンツと、各コンテンツについての移動許可回数m及びチェックアウト許可回数nとをネットワークを介して配信サーバから受信して、保持する第１受信ステップと、
複数コンテンツが格納された複数オブジェクトファイルをユーザデータ領域に書き込み、各コンテンツについての移動許可回数m及びチェックアウト許可回数nが格納されたルール管理ファイルをプロテクト領域に書き込む書込ステップとをコンピュータに行わせ、
請求項１記載の半導体メモリカードを得ることを特徴とするコンピュータ読み取り可能な記録媒体。
【請求項７】
請求項４記載の第１受信装置により得られた半導体メモリカードと接続する第２のコンピュータに、ネットワークを介してコンテンツを受信する処理を行わせるコンピュータ読み取り可能な記録媒体であって、
前記複数コンテンツと、各コンテンツについての移動許可回数m及びチェックアウト許可回数nとをネットワークを介して配信サーバから受信して、保持する第２受信ステップと、
前記半導体メモリカードが接続された場合、半導体メモリカードから移動許可回数mを読み出し、読み出された移動許可回数mが、「1」以上である場合、前記半導体メモリカードから装置内部へと、複数オブジェクトファイル及びルール管理ファイルの移動を行い、複数コンテンツと、各コンテンツについての移動許可回数m及びチェックアウト許可回数nとを保持する移動ステップと、
第２受信ステップ及び移動ステップの何れか一方により複数コンテンツと、各コンテンツについての移動許可回数m及びチェックアウト許可回数nとが保持された場合、保持されている複数コンテンツ及びチェックアウト許可回数nに基づき、同コンテンツの複製物を生成して記録媒体に記録して、前記再生装置に供給するチェックアウトステップと
をコンピュータに行わせることを特徴とするコンピュータ読み取り可能な記録媒体。
【手続補正２】
【補正対象書類名】明細書
【補正対象項目名】０００９
【補正方法】変更
【補正の内容】
【０００９】
【課題を解決するための手段】
上述した問題点を解決しつつ上記目的を達成するため、本発明に係る半導体メモリカードは、接続した機器の正当性が認証されるか否かに拘らず、当該機器によりアクセスされるユーザデータ領域と、接続した機器の正当性が認証された場合のみ、当該機器によりアクセスされるプロテクト領域とを備え、前記ユーザデータ領域には、複数のオブジェクトファイルが記録されており、前記プロテクト領域には、複数のルール管理ファイルが記録されており、オブジェクトファイルには、1つのコンテンツを格納したものと、1つのコンテンツを分割することにより得られた分割部分を格納したものとがあり、前記ルール管理ファイルは、それぞれがオブジェクトファイルと1対1の比率で対応する複数のルールエントリーを備え、各ルールエントリーには、対応するオブジェクトファイルと同じシリアル番号が付されており、
1つのコンテンツを格納したオブジェクトファイルに対応する1つのルールエントリーは、当該コンテンツについてのユーセージルール情報と、そのコンテンツを識別するコンテンツIDとを格納しており、分割されたコンテンツを格納した2以上のオブジェクトファイルに対応する2以上のルールエントリーは、全てのものが当該コンテンツを識別するコンテンツIDを格納していて、そのうち先頭のものが、当該コンテンツについてのユーセージルール情報を格納しており、
ユーセージルール情報は、移動許可回数mと、チェックアウト許可回数nとを含み、移動許可回数mは、「1」以上の値であれば他の機器へのコンテンツの移動がm回可能である旨を示し、「0」であれば他の機器へのコンテンツの移動は、不可能である旨を示す値であり、チェックアウト許可回数nは、「1」以上の値であれば移動先機器によるコンテンツのチェックアウトがn回可能である旨を示し、「0」であれば移動先機器によるコンテンツのチェックアウトは、不可能である旨を示す値であることを特徴としている。
【手続補正３】
【補正対象書類名】明細書
【補正対象項目名】０１４０
【補正方法】変更
【補正の内容】
【０１４０】
【発明の効果】
以上説明したように、機器と接続して用いられる半導体メモリカードであって、接続した機器の正当性が認証されるか否かに拘らず、当該機器によりアクセスされるユーザデータ領域と、接続した機器の正当性が認証された場合のみ、当該機器によりアクセスされるプロテクト領域とを備え、前記ユーザデータ領域には、複数のオブジェクトファイルが記録されており、前記プロテクト領域には、複数のルール管理ファイルが記録されており、オブジェクトファイルには、1つのコンテンツを格納したものと、1つのコンテンツを分割することにより得られた分割部分を格納したものとがあり、前記ルール管理ファイルは、それぞれがオブジェクトファイルと1対1の比率で対応する複数のルールエントリーを備え、各ルールエントリーには、対応するオブジェクトファイルと同じシリアル番号が付されており、1つのコンテンツを格納したオブジェクトファイルに対応する1つのルールエントリーは、当該コンテンツについてのユーセージルール情報と、そのコンテンツを識別するコンテンツIDとを格納しており、分割されたコンテンツを格納した2以上のオブジェクトファイルに対応する2以上のルールエントリーは、全てのものが当該コンテンツを識別するコンテンツIDを格納していて、そのうち先頭のものが、当該コンテンツについてのユーセージルール情報を格納しており、ユーセージルール情報は、移動許可回数mと、チェックアウト許可回数nとを含み、移動許可回数mは、「1」以上の値であれば他の機器へのコンテンツの移動がm回可能である旨を示し、「0」であれば他の機器へのコンテンツの移動は、不可能である旨を示す値であり、チェックアウト許可回数nは、「1」以上の値であれば移動先機器によるコンテンツのチェックアウトがn回可能である旨を示し、「0」であれば移動先機器によるコンテンツのチェックアウトは、不可能である旨を示す値であることを特徴としている。